(57)【要約】【課題】  液体が収容された液体収容容器から所定量の液体を取り出す場合において、液体収容容器の製造コストが高くつくということがなく、この液体収容容器から所定量の液体を適切に取り出すことが容易に行えるようにする。【解決手段】  液体１ａが収容された液体収容容器１の外周に装着させる液体収容容器用ラベル１０において、ラベル基材１１に液体収容容器から取り出す液体の量を表示する２種以上の目盛１２ａ〜１２ｃを設けた。【選択図】  図３
0003136974.tif 000002
【実用新案登録請求の範囲】
【請求項１】
液体が収容された液体収容容器の外周に装着させる液体収容容器用ラベルにおいて、ラベル基材に液体収容容器から取り出す液体の量を表示する２種以上の目盛が設けられていることを特徴とする液体収容容器用ラベル。
【請求項２】
請求項１に記載の液体収容容器用ラベルにおいて、上記の目盛として、計量スプーン用目盛と計量カップ用目盛とが設けられていることを特徴とする液体収容容器用ラベル。
【請求項３】
請求項１又は請求項２に記載の液体収容容器用ラベルにおいて、上記のラベル基材が透明又は半透明のフィルムで構成されていることを特徴とする液体収容容器用ラベル。
【請求項４】
請求項１〜請求項３の何れか１項に記載の液体収容容器用ラベルにおいて、上記のラベル基材がシュリンクフィルムによって筒状に形成され、この筒状に形成されたラベル基材が上記の液体収容容器の外周にシュリンクされて装着されることを特徴とする液体収容容器用ラベル。
【請求項５】
請求項４に記載の液体収容容器用ラベルにおいて、上記の筒状に形成されたラベル基材の軸方向に沿って一対の破断線が設けられると共に、この一対の破断線間における切離し部の端部に把持用の突出部が形成されてなることを特徴とする液体収容容器用ラベル。
【考案の詳細な説明】
【技術分野】
【０００１】
本考案は、液体を収容させた液体収容容器の外周に装着させる液体収容容器用ラベルに係り、上記の液体収容容器から所定量の液体を適切に取り出すことが容易に行えるようにした点に特徴を有するものである。
【背景技術】
【０００２】
従来、醤油やみりんや食用油等の液体調味料を収容させた液体収容容器からこれらの液体調味料を所定量適切に取り出して調理する場合、一般に、計量スプーンや計量カップを用いて取り出す液体調味料の量を調整するようにしている。
【０００３】
しかし、このように計量スプーンや計量カップを用いて液体収容容器から取り出す液体調味料の量を調整することは面倒であり、また計量スプーンや計量カップがない屋外等において調理する場合には、液体収容容器から所定量の液体調味料を適切に取り出すことが困難になるという問題があった。
【０００４】
また、従来においては、特許文献１，２に示されるように、哺乳瓶に収容されたミルクの量を示す目盛と、授乳時におけるミルクの残量を示す目盛とを設けたものや、特許文献３に示されるように、計量目盛ごとに各計量目盛に対応して符号を設けた薬瓶などの液体収容容器が提案されている。
【０００５】
しかし、このように液体を収容させる液体収容容器自体に各種の目盛を設けるようにすると、液体収容容器の製造コストが高くつくという問題があった。
【特許文献１】特開２００３−９３４７８号公報
【特許文献２】実用新案登録第３１０１７７７号公報
【特許文献３】特開平１１−１９１８１号公報
【考案の開示】
【考案が解決しようとする課題】
【０００６】
本考案は、液体、特に醤油やみりんや食用油等の液体調味料が収容された液体収容容器から所定量の液体を取り出す場合における上記のような問題を解決することを課題とするものであり、液体収容容器の製造コストが高くつくということがなく、この液体収容容器から所定量の液体を適切に取り出すことが容易に行えるようにすることを課題とするものである。
【課題を解決するための手段】
【０００７】
本考案においては、上記のような課題を解決するため、液体が収容された液体収容容器の外周に装着させる液体収容容器用ラベルにおいて、ラベル基材に液体収容容器から取り出す液体の量を表示する２種以上の目盛を設けるようにした。
【０００８】
ここで、上記の液体収容容器用ラベルを、醤油やみりんや食用油等の液体の調味料が収容された液体収容容器に装着させる場合、上記のラベル基材に設ける目盛としては、例えば、計量スプーン用目盛と計量カップ用目盛とを設けるようにすると便利であり、さらに必要に応じて他の目盛を設けることも可能である。
【０００９】
また、上記の液体収容容器用ラベルにおいては、上記のラベル基材を透明又は半透明のフィルムで構成することが好ましい。
【００１０】
また、液体を収容させた液体収容容器に上記の液体収容容器用ラベルを装着させるにあたっては、上記のラベル基材をシュリンクフィルムによって筒状に形成し、この筒状に形成したラベル基材を上記の液体収容容器の外周にシュリンクさせて装着させるようにすることができ、この場合には、筒状に形成されたラベル基材の軸方向に沿って一対の破断線を設けると共に、この一対の破断線間における切離し部の端部に把持用の突出部を形成することが好ましい。
【考案の効果】
【００１１】
本考案における液体収容容器用ラベルにおいては、そのラベル基材に液体収容容器から取り出す液体の量を表示する２種以上の目盛を設けたため、この液体収容容器用ラベルを液体が収容された液体収容容器の外周に装着させた場合、上記のラベル基材に設けられたこれらの目盛を基準にして、液体収容容器から所定量の液体を適切に取り出すことが容易に行えるようになる。
【００１２】
また、本考案においては、上記のようにラベル基材に液体収容容器から取り出す液体の量を表示する２種以上の目盛を設けた液体収容容器用ラベルを用いるため、液体収容容器自体に各種の目盛を設ける必要がなく、液体収容容器の製造コストが高くつくということもない。
【００１３】
そして、ラベル基材に計量スプーン用目盛と計量カップ用目盛とを設けるようにすると、計量スプーンや計量カップがない場合においても、醤油やみりんや食用油等の液体調味料が収容された液体収容容器から適当量の液体調味料を適切に取り出すことが行えるようになる。
【００１４】
また、上記の液体収容容器用ラベルにおいて、上記のラベル基材を透明又は半透明のフィルムで構成すると、この液体収容容器用ラベルを液体収容容器に装着させた場合に、液体収容容器内における液体の量をこの液体収容容器用ラベルを通して検知できるようになる。
【００１５】
また、上記の液体収容容器用ラベルにおいて、上記のラベル基材をシュリンクフィルムによって筒状に形成し、この筒状に形成したラベル基材を上記の液体収容容器の外周にシュリンクさせて装着させる場合において、筒状に形成されたラベル基材の軸方向に沿って一対の破断線を設けると共に、この一対の破断線間における切離し部の端部に把持用の突出部を形成すると、この把持用の突出部を指で持って上記の切離し部を一対の破断線に沿って切り離し、この液体収容容器用ラベルを上記の液体収容容器から簡単に分離させて回収できるようになる。
【考案を実施するための最良の形態】
【００１６】
以下、この考案の実施形態に係る液体収容容器用ラベルを添付図面に基づいて具体的に説明する。なお、この考案に係る液体収容容器用ラベルは、特に下記の実施形態に示したものに限定されるものではなく、その要旨を変更しない範囲において適宜変更して実施できるものである。
【００１７】
この実施形態における液体収容容器用ラベル１０においては、透明又は半透明のシュリンクフィルムで構成されたラベル基材１１を用い、図１に示すように、このラベル基材１１の上下方向に沿って、１５ｃｃの大さじ１杯毎の容量を示した計量スプーン用目盛１２ａと、１８０ｃｃのカップの０．５カップ毎の容量を示した計量カップ目盛１２ｂと、液体の容量を１００ｍｌ単位で示した容量目盛１２ｃとを設けると共に、上下方向にミシン目からなる一対の破断線１３，１３を設け、この一対の破断線１３，１３間における切離し部１４の上端から上方に突出した突出部１４ａを形成している。
【００１８】
ここで、ラベル基材１１に用いる上記のシュリンクフィルムとしては、熱によって収縮する熱収縮性のフィルム材料、特に径方向の熱収縮率が径方向と直交する方向の熱収縮率よりも大きい材料が使用され、例えば、延伸ポリスチレンフィルム、延伸ポリエチレンテレフタレートフィルム、延伸ポリプロピレンフィルムなどの熱収縮性を有するプラスチックフィルムを使用することができ、特に、収縮仕上がりの綺麗な延伸ポリスチレンフィルムを使用することが好ましい。
【００１９】
そして、この実施形態における液体収容容器用ラベル１０を、液体調味料などの液体１ａが収容された液体収容容器１の外周に装着させるにあたっては、上記のラベル基材１１の両側の端部を接着させて、図２に示すように、このラベル基材１１を筒状に形成する。なお、ラベル基材１１として予め筒状に形成されたものを用いてもよい。
【００２０】
次いで、このようにラベル基材１１を筒状に形成した液体収容容器用ラベル１０を、液体１ａが収容された液体収容容器１の外周を覆うように配置させ、この状態で、シュリンクフィルムで構成された上記のラベル基材１１をシュリンクさせて、図３に示すように、この液体収容容器用ラベル１０を上記の液体収容容器１の外周に装着させるようにする。
【００２１】
そして、このように液体収容容器用ラベル１０を装着させた液体収容容器１から所定量の液体１ａを取り出す場合、計量スプーンや計量カップがなくても、透明又は半透明のラベル基材１１に設けられた上記の計量スプーン用目盛１２ａや計量カップ目盛１２ｂを参照して、液体収容容器１内から所定量の液体１ａを適切に取り出すことができるようになる。
【００２２】
また、上記の液体収容容器１内における液体１ａが空になった場合には、液体収容容器用ラベル１０に設けられた上記の突出部１４ａを指で持って、上記の一対の破断線１３，１３間における切離し部１４を液体収容容器用ラベル１０から切り離すようにする。
【００２３】
このようにすると、液体収容容器用ラベル１０が切離し部１４において簡単に切断されて、この液体収容容器用ラベル１０を上記の液体収容容器１から簡単に取り外すことができるようになる。
【００２４】
なお、この実施形態の液体収容容器用ラベル１０においては、シュリンクフィルムで構成されたラベル基材１１を筒状に形成し、このラベル基材１１をシュリンクさせて、液体収容容器用ラベル１０を液体収容容器１の外周に装着させるようにしたが、液体収容容器用ラベル１０を液体収容容器１の外周に装着させる方法はこのようなものに限定されない。
【００２５】
図示していないが、例えば、上記の計量スプーン用目盛や計量カップ目盛等を設けたシート状のラベル基材の裏面に粘着剤を付与し、この粘着剤によってこのようなラベル基材を液体収容容器の外周に貼着させるようにすることも可能である。
【図面の簡単な説明】
【００２６】
【図１】本考案の一実施形態に係る液体収容容器用ラベルを筒状に形成する前の状態を示した概略平面図である。
【図２】上記の実施形態に係る液体収容容器用ラベルを筒状に形成した状態を示した概略斜視図である。
【図３】上記の実施形態に係る液体収容容器用ラベルを液体が収容された液体収容容器の外周に装着させた状態を示した概略正面図である。
【符号の説明】
【００２７】
１  液体収容容器
１ａ  液体
１０  液体収容容器用ラベル
１１  ラベル基材
１２ａ  計量スプーン用目盛
１２ｂ  計量カップ目盛
１２ｃ  容量目盛
１３  破断線
１４  切離し部
１４ａ  突出部
【図１】
0003136974.tif 000003
【図２】
0003136974.tif 000004
【図３】
0003136974.tif 000005